(57)【特許請求の範囲】
【請求項１】
ロール状に巻かれた記録媒体を回転可能に保持することができる、第１取り付け部および第２取り付け部を含む供給ユニットと、
前記供給ユニットから供給される記録媒体に画像を記録する記録ユニットと、
を有し、
前記第１取り付け部に保持された記録媒体を引き出して、前記記録ユニットで記録したものを排出する第１の動作と、
前記第２取り付け部に保持された記録媒体を引き出して、前記記録ユニットで記録したものを排出する第２の動作と、
前記第１取り付け部に保持された記録媒体を引き出して、前記記録ユニットで記録したものを、前記第２取り付け部でロール状に巻き取る第３の動作と、
前記第２取り付け部に保持された記録媒体を引き出して、前記記録ユニットで記録したものを、前記第１取り付け部で巻き取る第４の動作と、
を選択して実行することが可能であるとともに、
前記第３の動作においては、前記記録ユニットで記録された記録媒体の記録面がロールの外側になるような巻き取りと、前記記録面の裏面がロールの外側になるような巻き取りと、を選択して実行することが可能であることを特徴とする画像形成装置。
【請求項２】
前記第１の動作および前記第２の動作においては、ロール状に巻かれた記録媒体は供給用のスプールに保持され、
前記第３の動作および前記第４の動作においては、ロール状に巻かれた記録媒体は前記供給用のスプールに保持され、記録の済んだ記録媒体は巻取り用のスプールにより巻き取られることを特徴とする、請求項１に記載の画像形成装置。
【請求項３】
前記供給用のスプールであるか前記巻取り用のスプールであるかを判別する判別部と、前記判別部での判別結果に応じて装置の動作を制御する制御部とをさらに有することを特徴とする、請求項２に記載の画像形成装置。
【請求項４】
前記第１の動作および前記第２の動作において排出された記録媒体を収容するバスケットをさらに有することを特徴とする、請求項１から３のいずれか１項に記載の画像形成装置。
【請求項５】
ロール状に巻かれた記録媒体を回転可能に保持することができる、第１取り付け部および第２取り付け部を含む供給ユニットと、
前記供給ユニットから供給される記録媒体に画像を記録する記録ユニットと、
を有し、
前記第１取り付け部に保持された記録媒体を引き出して、前記記録ユニットで記録したものを排出する第１の動作と、
前記第２取り付け部に保持された記録媒体を引き出して、前記記録ユニットで記録したものを排出する第２の動作と、
前記第１取り付け部に保持された記録媒体を引き出して、前記記録ユニットで記録したものを、前記第２取り付け部で巻き取る第３の動作と、
前記第２取り付け部に保持された記録媒体を引き出して、前記記録ユニットで記録したものを、前記第１取り付け部で巻き取る第４の動作と、
を選択して実行することが可能であることを特徴とする画像形成装置。
【請求項６】
前記記録ユニットは、記録媒体に対してインクを吐出して画像を形成するヘッドを有することを特徴とする、請求項１から５のいずれか１項に記載の画像形成装置。
【発明の詳細な説明】
【技術分野】
【０００１】
本発明は、複数のロール状の記録媒体を搭載できる画像形成装置に関する。
【背景技術】
【０００２】
従来、複数のロール状に巻かれた帯状の記録媒体を画像形成装置本体に取付け、ユーザが使いたい記録媒体を選択し、選択された記録媒体に記録を行うことが可能な多ロール取付け機能を備えた画像形成装置が知られている。このような画像形成装置は、異なる材質や幅の記録媒体を同時に装置本体に取付けることが可能なため、記録媒体に記録が行われているときに、新たな記録媒体を装置本体に取付けることでユーザのワークフローにおける時間短縮や効率化が可能である。多ロール取付け機能を備えた画像形成装置の一例が特許文献１に示されている。特許文献１は、２つのロール状の記録媒体が保持される２ロール取付け機能を有する画像形成装置であり、各々の記録媒体に対応して駆動機構が設けられており、駆動機構の駆動を中央処理装置で制御することにより、各々の記録媒体の動きを制御している。
【０００３】
また、記録後の記録媒体を巻取りながら記録動作を自動で続けることが可能な巻取り機能を有した画像形成装置の一例が特許文献２に示されている。巻取り機能はユーザが大量の記録を必要とした際に、記録後の記録媒体を自動で巻取っていくため、記録済みの記録媒体を省スペースに保管できる。
【先行技術文献】
【特許文献】
【０００４】
【特許文献１】特開２００６−１３７６０７号公報
【特許文献２】特開２００６−８２４７５号公報
【発明の概要】
【発明が解決しようとする課題】
【０００５】
しかしながら、上述の２つの機能は、大量記録のワークフローの中でどちらも必要とされる場合があるが、その両機能を画像形成装置に搭載することは難しい。なぜなら、両機能を搭載する画像形成装置の場合、ロール状の記録媒体を保持する供給用のスプールと、記録済みの記録媒体を巻取る巻取り用のスプールが必要となる。そのため、この２種類のスプールを、間違えて互いの配置を逆にして画像形成装置に配置してしまうことを防止するために、互いのスプールの長さに違いを持たせている。したがって、多ロール取付け機能用に、複数の供給用のスプールの取付け部が必要であり、かつ、巻取り機能用に、巻取り用のスプールの取付け部が必要である。これにより、多ロール取付け機能と巻取り機能を同時に１台の画像形成装置に搭載すると、装置自体が大型化してしまい、限りあるスペースに配置することが困難となり、さらに重量化につながってしまう。
【０００６】
多数の記録媒体が積載可能な多ロール取付け機能と、巻取り機能とを画像形成装置に搭載すると、巻取り機能は使用頻度が低いため、巻取り用のスプールの取付け部は画像形成装置の下部、特にユーザの膝よりも低い位置にレイアウトされることが多い。この場合、膝よりも低い位置にある取付け部に取付けられた巻取り用のスプールに、ロール状の記録媒体の先端をテープで固定するセッティングをユーザがしゃがんだ状態で行う必要があり、ユーザビリティの悪さが懸念されていた。
【０００７】
そのため、多ロール取付け機能を搭載した画像形成装置では、巻取り機能を搭載せずに、記録後の記録媒体をストックしておくための容量の大きなバスケットをレイアウトすることで対応している。しかしながら、長時間自動で記録し続けるにはバスケットの収容能力が十分ではなく、バスケット内に記録済みの記録媒体が大量積載されることで、記録媒体が折れたり傷が付いたりすることが懸念される。また、巻取り機能を搭載することで、ロール状の記録媒体の取付けが１つに限られる画像形成装置では、複数の記録媒体を同時に搭載出来ないため、使い勝手が悪くなっていた。そのため、両機能を搭載した画像形成装置が要望されていた。
【０００８】
そこで本発明は、上述の課題を鑑みてなされたものであり、大型化そして重量化を抑制した、多ロール取付け機能と巻取り機能とを搭載する画像形成装置を提供することを目的とする。
【課題を解決するための手段】
【０００９】
ロール状に巻かれた記録媒体を回転可能に保持することができる、第１取り付け部および第２取り付け部を含む供給ユニットと、供給ユニットから供給される記録媒体に画像を記録する記録ユニットとを有し、第１取り付け部に保持された記録媒体を引き出して、記録ユニットで記録したものを排出する第１の動作と、第２取り付け部に保持された記録媒体を引き出して、記録ユニットで記録したものを排出する第２の動作と、第１取り付け部に保持された記録媒体を引き出して、記録ユニットで記録したものを、第２取り付け部でロール状に巻き取る第３の動作とを選択して実行することが可能であるとともに、第３の動作においては、記録ユニットで記録された記録媒体の記録面がロールの外側になるような巻き取りと、記録面の裏面がロールの外側になるような巻き取りと、を選択して実行することが可能であることを特徴とする。
【発明の効果】
【００１０】
本発明によれば、画像形成装置が大型化や重量化すること抑えつつ、画像形成装置に多ロール取付け機能と巻取り機能とを付与することができる。
【図面の簡単な説明】
【００１１】
【図１】本発明に係る画像形成装置の一実施形態の概略構成図である。
【図２】スプールの概略構成図である。
【図３】図１のＡ部の拡大図である。
【図４】スプールの用途判別部を説明するための図である。
【図５】第１取付け部に供給用のスプールを、第２取付け部に巻取り用のスプールを取付けた画像形成装置の概略図である。
【図６】第１取付け部に巻取り用のスプールを、第２取付け部に供給用のスプールを取付けた画像形成装置の概略図である。
【図７】図５の状態におけるスプールの駆動に関する制御ブロック図である
【図８】スプールに伝達される駆動力の制御データ表である。
【図９】従来技術の画像形成装置のスプールの概略構成図である。
【発明を実施するための形態】
【００１２】
以下に、添付の図面に基づき、本発明の実施の形態の詳細について説明する。なお、同一の機能を有する構成には添付図面中、同一の番号を付与し、その説明を省略することがある。
【００１３】
図１は、本発明に係る画像形成装置の一実施形態の概略構成図である。なお、図１に示す画像形成装置５０は、ロール状に巻かれた帯状の記録媒体６０が第１取付け部１と第２取付け部２にそれぞれ搭載され、第１取付け部１の記録媒体６０が記録可能な状態になっている。
【００１４】
画像形成装置５０は、供給ユニット７０と、移送ユニット８０と、記録ユニット９０とを有する。記録媒体６０は供給ユニット７０から移送ユニット８０を介して記録ユニット９０に搬送される。
【００１５】
供給ユニット７０は、第１取付け部１と第２取付け部２とを有する。第１取付け部１と第２取付け部２とは並んで配置される（図では上下に配置されている）。なお、取付け部の数は２つに限定されない。各取付け部１、２には、記録媒体６０を保持する供給用のスプール６１が各スプールホルダ１４に取付けられている。また、第１取付け部１には第１スプール駆動ギヤ１５が設けられ、第２取付け部２には第２スプール駆動ギヤ１６が設けられており、このスプール駆動ギヤ１５、１６を介して供給用のスプール６１を回転させる。
【００１６】
なお、以降の説明では、記録媒体６０を「ロール紙」と称する。
【００１７】
移送ユニット８０は供給ユニット７０から供給されるロール紙６０を記録ユニット９０へ移送する。そのため、移送ユニット８０は、各取付け部１、２に応じて、ロール紙６０をガイドする搬送ガイド３と、ロール紙６０を搬送する搬送ローラ４とが設けられている。また、ロール紙６０の搬送方向ですべての搬送ローラ４の下流には、ＬＦ駆動ローラ５およびＬＦニップローラ６からなるＬＦローラ対６２が設けられている。ＬＦローラ対６２の下流には、ロール紙６０の有無を検知する用紙検知センサ８が設けられている。
【００１８】
供給ユニット７０から送られたロール紙６０は搬送ガイド３に沿って搬送方向下流側に送られる。その際、搬送経路に複数配置された搬送ローラ４によってロール紙６０の搬送が円滑に行われる。搬送されたロール紙６０が搬入用ガイド７からＬＦローラ対６２に到達すると、用紙検知センサ８がロール紙６０を検知し、ＬＦ駆動ローラ５が回転する。なお、ＬＦニップローラ６はロール紙６０の先端を検知するまではＬＦ駆動ローラ５とは間隔を有している。ロール紙６０がＬＦ駆動ローラ５とＬＦニップローラ６との間を通過したことが不図示のセンサなどで確認されると、ＬＦニップローラ６はＬＦローラ５に向かって移動し、ＬＦローラ対６２でロール紙６０をニップし、記録ユニット９０に搬送する。
【００１９】
記録ユニット９０には、ロール紙６０を吸着し支持するプラテン９と、プラテン９と対向し、かつ間隔を有する位置に、複数のヘッドで構成される記録ヘッド１１が設けられている。例えば、各ヘッドからはブラック、シアン、マゼンタ、及び、イエローのインクがそれぞれ吐出される。プラテン９は、ロール紙６０の記録面１０とは逆の裏面を吸着することでロール紙６０の正確な位置決めを保証する。プラテン９の、ロール紙６０の搬送方向で下流には、記録の終わったロール紙６０を排出する排出ローラ１２が設けられている。記録が終わったロール紙６０は排出ローラ１２によって排出され、排出ローラ１２の下流側、たとえば画像形成装置５０の本体下に設けられる不図示のバスケットに収容される。あるいは、画像形成装置５０の後述する巻取り機能を利用する場合には、供給ユニット７０内でロール状に巻取られ収容される。
【００２０】
次にスプール６１の構成を、図２を用いて説明する。図２はスプールの概略構成図であり、（ａ）が正面図、（ｂ）が分解図である。
【００２１】
以下で説明するスプールには磁気片３８が設けられている。この磁気片３８は、供給用のスプール６１または巻取り用のスプール６１’に設けられていればよく、その他の構成は給紙用のスプール６１と巻取り用のスプール６１’とで同じである。したがって、以下の説明では、供給用のスプール６１に磁気片３８が設けられている場合について説明する。なお、磁気片３８が、供給用のスプール６１または巻取り用のスプール６１’に設けられていればよい理由は後述する。
【００２２】
供給用のスプール６１は、一方の端部に磁気片３８が設けられ、磁気片３８に隣接して基準側フランジ１９が取付けられたスプールシャフト１７と、スプールシャフト１７から着脱可能な非基準側フランジ１８と、を有する。また、基準側フランジ１９の、フランジ１８、１９同士が対向する面である内面には基準側摩擦部材２０が設けられ、同様に非基準側フランジの内面には非基準側摩擦部材２２が設けられている。なお、スプールシャフト１７の他方の端部はスプールギヤ２１と係合可能となっている。
【００２３】
また、供給用のスプール６１と巻取り用のスプール６１とでスプールシャフト１７の長さは同じである。
【００２４】
図９に、従来技術のスプールの概略構成図を示す。図９（ａ）が供給用のスプールであり、図９（ｂ）が巻取り用のスプールである。従来技術の供給用のスプール１３０のフランジ１１８のロール紙１６０と接する内面側の形状は凹凸の無い平面をしている。そのため、ロール紙１６０をスプール１３０に取付ける度にロール紙１６０の幅方向の両端が同一位置に配置されるよう構成されている。一方、巻取り用のスプール１３１のフランジ１１９は巻取るロール紙１６０の斜行をある程度許容出来るよう、ロール紙１６０の幅方向の端部と接する内面はテーパーがきられている（広がり形状）。
【００２５】
図２を参照すると、本発明の画像形成装置５０の供給用のスプール６１と巻取り用のスプール６１’の両フランジ１８、１９は中央部が平面であり、外周部が互いのフランジ１８、１９から離れるようなテーパー形状になっている。そのため、ロール紙６０の幅方向の両端の位置を決めることができ、かつ、巻取るロール紙６０の斜行にも対応することができる。もちろん従来技術のように、フランジの形状が供給用と巻取り用のスプールで異なっていても良いが、その場合のスプールシャフトの長さは巻取り用にあわせる。
【００２６】
次に、ロール紙６０を画像形成装置５０内に収容するための手順について説明する。スプールギヤ２１およびスプールシャフト１７にはめ込まれた非基準側フランジ１８を給紙用のスプール６１のスプールシャフト１７から外し、ロール紙６０の芯であるコア（紙管）１３の穴をスプールシャフト１７に差し込む。このとき、紙管１３の内径とスプールシャフト１７の外径には十分な隙間があるため、ユーザは軽微な力でロール紙６０をスプールシャフト１７にはめ込むことができる。ロール紙６０の幅方向の端部が基準側フランジ１９の内面に接触するように、スプールフランジ１９の内面側に設けられた基準側摩擦部材２０にロール紙６０をはめ込む。その後、取り外しておいた非基準側フランジ１８をスプールシャフト１７に通しながら非基準側フランジ１８の非基準側摩擦部材２１をロール紙６０の紙管１３にはめ込みロックをかける。そして、スプールギヤ２１をスプールシャフト１７に係合させる。その後、供給用のスプール６１と一体になったロール紙６０を画像形成装置５０本体の第１取付け部１や第２取付け部２のスプールホルダ１４にはめ込むことでロール紙６０の画像形成装置５０への設置が完了する。
【００２７】
次に、給紙用のスプール６１をスプールホルダ１４に取付けたときの様子を、図３を用いて説明する。図３は、図１のＡ部の拡大図である。スプールホルダ１４は断面形状がＵ字形をしており、また、スプールシャフト１７と嵌合することができる径を有しているため、開口側からスプールシャフト１７をはめ込むことができる。なお、スプールホルダ１４には供給用と巻取り用のどちらのスプール６１、６１’も取付け可能となっている。また、画像形成装置５０本体には、スプールシャフト１７に取付けられたスプールギヤ２１と係合可能なように第１スプール駆動ギヤ１５が設けられている。画像形成装置５０本体に設けられた、第１モータ２８（図７参照）の駆動が第１スプール駆動ギヤ１５とスプールギヤ２１とを介してスプールシャフト１７に伝わり、スプールシャフト１７が回転し、ロール紙６０の供給が可能となる。
【００２８】
次にスプール６１、６１’が、供給用と巻取り用のどちらの用途であるかを判断する方法を説明する。上述したように、供給用か巻取り用のスプール６１、６１’のスプールシャフト１７の一端には磁気片３８が設けられている。スプール６１、６１’が画像形成装置５０本体に取付けられたときに磁気片３８と対応するように、画像形成装置５０本体には磁気センサ（不図示）が設けられており、この磁気センサで磁気片３８を検知しスプール６１、６１’の用途を判別する。つまり、磁気片３８と磁気センサとで用途判別部６５（図７参照）が構成されていることになる。
【００２９】
また、用途判別部６５としては上述した磁気的手段以外に、電気的手段や光学的手段を用いて、スプール６１、６１’の用途を判別することも可能である。さらに、ユーザがスプール６１、６１’の用途を、画像形成装置５０本体に設けたオペレーションパネル（不図示）を通して指示を出すことも可能である。図４を用いて他の用途判別部６５について説明する。例えば、図４（ａ）に示すように、磁気片３８の代わりに溝４１をスプールシャフト１７に設ける。そして、画像形成装置５０本体に、アーム４４を備えたＯＮ−ＯＦＦスイッチ４３を設ける。アーム４４はスプールシャフト１７の溝４１を除いた部分とは当接可能である。そのため、スプール６１、６１’を画像形成装置５０本体に搭載したときに、アーム４４がスプールシャフト１７に当接するかしないかによってＯＮ−ＯＦＦスイッチ４３が切替わり、それにより、スプール６１、６１’の用途を判別する。あるいは、図４（ｂ）に示すように、上記の例と同様に溝４１を設けて、画像形成装置５０本体に設けた距離センサ４５によって計測される、距離センサ４５からスプールシャフト１７までの距離の違いから、スプール６１、６１’の用途を判別する。
【００３０】
なお、上記の例では、スプールシャフト１７の端部に磁気片３８（あるいは溝４１）を設けたが、例えばフランジ１８、１９に設けることも可能である。
【００３１】
図１に示す画像形成装置５０は、いずれの取付け部１、２にも供給用のスプール６１が取付けられ、第１取付け部１からロール紙６０が供給されている。本発明の画像形成装置５０では、磁気片３８（あるいは他の構成では溝４１）の有無以外は供給用のスプール６１と巻取り用のスプール６１’の構成が同じである。なお、スプール６１の用途をオペレーションパネルに入力する場合は、供給用と巻取り用とでスプール６１の構成はすべて同じでもよい。そのため、図５に示すように、第１取付け部１に供給用のスプール６１を取付け、第２取付け部２に巻取り用のスプール６１’を取付けることができる。また、図６に示す様に、第１取付け部１に巻取り用のスプール６１’を取付け、第２取付け部２に供給用のスプール６１を取付けることができる。以上に挙げた使用だけではなく、取付け部を３つ以上にすれば、さらに用途が広がることは言うまでも無い。
【００３２】
ここで、図１を用いて、ロール紙６０を保持する供給用のスプール６１を第１取付け部１に取付けてから、記録可能な状態にするまでの流れを説明する。ユーザは供給ユニット７０の第１取付け部１に設置されたロール紙６０の先端部を手動で移送ユニット８０に向かって搬送方向（図１では右上方向）に押し出す。押し出されたロール紙６０は搬送ガイド３に案内されながら搬送経路に沿って記録ユニット９０に向かって進む。この際、搬送ガイド３と搬送ローラ４がスムーズにロール紙６０を滑らせることでユーザは軽微な力でロール紙６０を送り出すことが出来る。ロール紙６０の先端がＬＦローラ対６２を通過すると、用紙検知センサ８でロール紙６０が検知され、ＬＦ駆動ローラ５がロール紙６０を搬送させる方向（図では反時計回り）に回転する。そして、ＬＦニップローラ６がＬＦ駆動ローラ５に向かって移動し、ＬＦローラ対６２でロール紙６０をニップする。その後、記録を行うときには、ＬＦローラ対６２でロール紙６０は自動搬送される。
【００３３】
なお、ロール紙６０が自動で搬送可能になると、第１取付け部１のスプール６１には、第１モータ２８から第１スプール駆動ギヤ１５とスプール駆動ギヤ２１を介して、ロール紙６０の搬送を妨げる回転方向にバックテンションを発生させる。これにより、ロール紙６０に所定のテンションが発生し、ロール紙６０の弛みがなくなる。スプールシャフト１７の端部もしくは不図示のギヤ列の途中に不図示のトルクリミッタ等を設けることでバックテンションを調節する。
【００３４】
第２取付け部２のスプール６１からロール紙６０を供給する場合も同様である。また、図５や図６に示すように、巻取り用のスプール６１’を利用する場合は、上述のようにＬＦローラ対６２を通過させたロール紙６０の先端を、プラテン９と記録ヘッド１１の間を通過させ、巻取り用のスプール６１’に取付ける。
【００３５】
図７は、図５の状態におけるスプール６１、６１’の駆動に関する制御ブロック図である。上述したように、供給用のスプール６１が第１取付け部１に取付けられ、巻取り用のスプール６１’が第２取付け部２に取付けられると、用途判別部６５によってスプール６１、６１’の用途が判別される。そして、その判別結果が制御部となる制御ＣＰＵ２６を通して記憶部４０に記録される。この記録に応じて制御ＣＰＵ２６は駆動機構に信号を送り制御する。具体的には、制御ＣＰＵ２６は第１モータドライバ３４を介して第１取付け部１のスプール６１を駆動させる第１モータ２８に、第２モータドライバ３５を介して第２取付け部２のスプール６１を駆動させる第２モータ２９に回転制御信号を出す。この信号にはモータ２８、２９の回転方向と回転速度の情報が含まれる。また制御ＣＰＵ２６から第１伝達トルク切替え手段３０および第２伝達トルク切替え手段３６に信号が送られる。第１伝達トルク切替え手段３０では、第１取付け部１から供給されるロール紙６０に所定のテンションがかかるように駆動力を調節する。第２伝達トルク切替え手段３６では、すべての駆動力が伝わるように、あるいは、巻取るロール紙６０のテンションを調節するように駆動力を調節する。第１モータ２８、第２モータ２９からの駆動力は、第１伝達トルク切替え手段３０、第２伝達トルク切替え手段３６をそれぞれ介して、第１スプール駆動ギヤ１５や第２スプール駆動ギヤ１６に伝わり、各スプール６１、６１に伝達される。
【００３６】
なお、複数の取付け部が供給ユニット７０に設けられ、複数の供給用のスプール６１と巻取り用のスプール６１’が取付け部に取付けられたときは、まず、用途判別部６５でスプール６１、６１’の用途を判断する。それから、それぞれ１つの供給用のスプール６１と巻取り用のスプール６１’がユーザにより選択される。そして選択されたスプール６１、６１’に対し、上記の駆動制御が行われる。
【００３７】
図８にスプール６１に伝達される駆動力の制御データ表を示す。供給や記録動作の際、ロール紙６０にテンションを与えなければならない。そのため、この場合は、スプール６１にトルクリミッタを介してロール紙６０の供給を妨げる方向（図１、５、６では時計回り方向）に回転する駆動力を与え、ロール紙６０の供給にブレーキをかける。これにより、供給されるロール紙６０に最適なテンションを与えるトルク値Ｔ１が発生する。
【００３８】
巻取り動作の際はスプール６１’を任意の方向（図５、６では、時計回りと反時計回りのいずれでもよい）に回転させて、ロール紙６０の巻取り動作を行う。なお、制御ＣＰＵ２６からモータドライバ３４、３５への回転方向の情報を切替えることで、スプール６１’を任意の方向に回転させることができる。また、巻取り動作の際には、ロール紙６０を巻取るのに最適なテンションをロール紙６０に与えるためのトルク値Ｔ２が発生するようにすることが好ましい。
【００３９】
以上、説明したように、本発明の画像形成装置５０では、供給用か巻取り用かを判断するための磁気片３８（あるいは溝４１）の有無以外は、供給用と巻取り用とでスプール６１、６１’の構成が同じである。そのため、画像形成装置５０の各取付け部１、２に、どちらの用途のスプール６１、６１’でも搭載することが可能となっている。また、取付け部の数は３つ以上でよい。これにより、巻取り用のスプール６１専用の取付け部と供給用のスプール６１’専用の取付け部を本発明の画像形成装置５０に設けておく必要がないため、多ロール取付け機能と巻取り機能の両方を搭載しても、画像形成装置５０は大型化が抑制される。また、必要に応じて供給用と巻取り用のスプール６１、６１’の配置の変更が可能になり、供給用のスプール６１のみ、あるいは供給用と巻取り用のスプール６１、６１’を両方搭載する、といったバリエーションが可能である。したがって、大型化や重量化を抑えた、多ロール取付け機能と巻取り機能を有する画像形成装置が実現できる。さらにユーザが任意の位置の取付け部に巻取り用のスプール６１’を取付けることができるので、ユーザビリティを向上させることができる。
【符号の説明】
【００４０】
１  第１取付け部
２  第２取付け部
２６  制御ＣＰＵ（制御部）
６０  記録媒体
６１  供給用スプール
６１’  巻取り用スプール
６５  用途判別部
７０  供給ユニット
９０  記録ユニット
【図１】
0005975628.tif 000002
【図２】
0005975628.tif 000003
【図３】
0005975628.tif 000004
【図４】
0005975628.tif 000005
【図５】
0005975628.tif 000006
【図６】
0005975628.tif 000007
【図７】
0005975628.tif 000008
【図８】
0005975628.tif 000009
【図９】
0005975628.tif 000010